(57)【要約】【課題】  遠心分離機能を備えた電気掃除機において、塵埃の搬送性を向上させ、塵埃の目詰まりによる風量低下をさせずに吸込力を持続させる使い勝手の良い電気掃除機を提供することを目的とする。【解決手段】遠心分離室１１３内に配置する螺旋形状の頂上８０４は、塵埃通過口の下端部８０５よりも上部に位置させた。【選択図】  図６
2005160884.tif 000002
【特許請求の範囲】
【請求項１】
本体内部に電動送風機を内蔵し、吸引した塵埃を吸気流の旋回流で遠心分離する遠心分離室を上部に設け、塵埃集塵室を下部に設け、各々を着脱自在に設けるとともに、遠心分離室から塵埃集塵室への塵埃通過口を遠心分離室の上部へ設けた電気掃除機において、
前記遠心分離室内に配置する螺旋形状の頂上は前記、塵埃通過口の下端部よりも上部に位置するように設けたことを特徴とする電気掃除機。
【請求項２】
請求項１において、
吸引した塵埃が遠心分離室に入ってくる塵埃吸入口を前記遠心分離室の後方に配置し、該遠心分離室から前記塵埃集塵室への塵埃通過口を前記遠心分離室の側面に配置し、該遠心分離室内の螺旋形状は塵埃吸入口と塵埃通過口の間に螺旋１巻以内の形状で構成し、塵埃吸入口から搬送された塵埃は遠心分離室を１周しないで塵埃通過口を通り塵埃集塵室へ堆積する構造としたことを特徴とする電気掃除機。
【請求項３】
請求項１又は２において、
前記遠心分離室内の螺旋部壁面に設けた吸込風量確保通路を、吸引した塵埃が遠心分離室に入ってくる塵埃吸入口から見えない位置に設けたことを特徴とする電気掃除機。
【発明の詳細な説明】
【技術分野】
【０００１】
本発明は、電気掃除機に関するものである。
【背景技術】
【０００２】
図８に従来掃除機の遠心分離室と塵埃集塵室を示す。従来の掃除機は吸引した塵埃を吸気流の旋回流で遠心分離する遠心分離室１１３を上部に設け、塵埃集塵室１１４を下部に設け、各々を着脱自在に設けるとともに、遠心分離室１１３から塵埃集塵室１１４への塵埃通過口３０１を遠心分離室１１３の上部へ 、遠心分離室１１３内に配置する螺旋部８０１高さは小さく、しかも螺旋形状の頂上８０４は前記、塵埃通過口の下端部８０５よりも下部に位置していた。
【０００３】
この種の掃除機は、例えば特許文献１に開示されている。
【０００４】
【特許文献１】特開２００３−１８０５８４号公報
【発明の開示】
【発明が解決しようとする課題】
【０００５】
図８に示す如く、従来の掃除機は吸引した塵埃を吸気流の旋回流で遠心分離する遠心分離室１１３を上部に設け、塵埃集塵室１１４を下部に設け、各々を着脱自在に設けるとともに、遠心分離室１１３から塵埃集塵室１１４への塵埃通過口３０１を遠心分離室１１３の上部へ 、遠心分離室１１３内に配置する螺旋部８０１高さは小さく、しかも螺旋形状の頂上８０４は前記、塵埃通過口の下端部８０５よりも下部に位置していた。そのため、塵埃吸入口８０２から遠心分離室１１３に導入された塵埃は遠心分離室１１３の内壁面に沿いながら回転・上昇し塵埃集塵室１１４に搬送される際、螺旋形状の頂上８０４と塵埃通過口３０１の距離が離れていたため特に重い塵埃を塵埃通過口３０１まで搬送することが困難であった。また、搬送できずに遠心分離室１１３内部で回転しつづける塵埃により吸込風量確保通路８０３を塞がれ吸込力が低下することがあった。また、遠心分離室１１３は透明材料にて形成されているため、塵埃がスムーズに塵埃集塵室１１４に堆積されずに回転し続けるとプラスチック表面に傷をつけ、透明度が低下し、塵埃の状態が見えにくくなることがあった。
【０００６】
これらの問題を解決する手段として、遠心分離室１１３内に配置する螺旋部８０１の高低差を大きくし、螺旋形状の頂上８０４を塵埃通過口の下端部８０５より上部に設けることにより重い塵埃を搬送し易くなる。
【０００７】
本発明の目的は、上記問題に基づいてなされたものであり、螺旋部８０１の高低差を大きくし、螺旋形状の頂上８０４を塵埃通過口の下端部８０５より上部に設けることにより重い塵埃を搬送し易くし塵埃の集塵性能を向上させる電気掃除機を提供することにある。
【課題を解決するための手段】
【０００８】
上記目的を達成するために本発明の請求項１では、吸引した塵埃を吸気流の旋回流で遠心分離する遠心分離室を上部に設け、塵埃集塵室を下部に設け、各々を着脱自在に設けるとともに、遠心分離室から塵埃集塵室への塵埃通過口を遠心分離室の上部へ設けた電気掃除機において、遠心分離室内に配置する螺旋形状の頂上は前記、塵埃通過口の下端部よりも上部に位置するように設けたことを特徴とする。
【０００９】
また、本発明の請求項２では、吸引した塵埃が遠心分離室に入ってくる塵埃吸入口を遠心分離室の後方に配置し、遠心分離室から塵埃集塵室への塵埃通過口を遠心分離室の側面に配置し、遠心分離室内の螺旋形状は塵埃吸入口と塵埃通過口の間に螺旋１巻以内の形状で構成し、塵埃吸入口から搬送された塵埃は遠心分離室を１周しないで塵埃通過口を通り塵埃集塵室へ堆積する構造としたことを特徴とする。
【００１０】
また、本発明の請求項３では、遠心分離室内の螺旋部壁面に設けた吸込風量確保通路を、吸引した塵埃が遠心分離室に入ってくる塵埃吸入口から見えない位置に設けたことを特徴とする。
【発明の効果】
【００１１】
本発明の請求項１によれば、吸引した塵埃を吸気流の旋回流で遠心分離する遠心分離室を上部に設け、塵埃集塵室を下部に設け、各々を着脱自在に設けるとともに、遠心分離室から塵埃集塵室への塵埃通過口を遠心分離室の上部へ設けた電気掃除機において、遠心分離室内に配置する螺旋形状の頂上は前記、塵埃通過口の下端部よりも上部に位置するように設けたことにより塵埃をより素早く、スムーズに搬送し、塵埃の集塵性能を向上させ使い勝手の良い電気掃除機を提供することができる。
【００１２】
また、本発明の請求項２によれば、吸引した塵埃が遠心分離室に入ってくる塵埃吸入口を遠心分離室の後方に配置し、遠心分離室から塵埃集塵室への塵埃通過口を遠心分離室の側面に配置し、遠心分離室内の螺旋形状は塵埃吸入口と塵埃通過口の間に螺旋１巻以内の形状で構成し、塵埃吸入口から搬送された塵埃は遠心分離室を１周しないで塵埃通過口を通り塵埃集塵室へ堆積する構造としたにより、塵埃を遠心分離室内で必要以上に回転させること無くスムーズに塵埃を搬送することができ、透明材料で形成させた遠心分離室内部の傷付きを最小限に抑え塵埃の状態が見易く使い勝手の良い電気掃除機を提供することができる。
【００１３】
また、本発明の請求項３によれば、遠心分離室内の螺旋部壁面に設けた吸込風量確保通路を、吸引した塵埃が遠心分離室に入ってくる塵埃吸入口の側には設けず、螺旋形状及び塵埃通過口側に設けたことにより塵埃吸入口から搬送された塵埃が吸込風量確保通路に直接付着すること無く遠心分離室の壁面に沿いながら回転・上昇し塵埃集塵室で補塵され、吸込風量確保通路を塞ぐことなく吸込力を維持し、使い勝手の良い電気掃除機を提供することができる。
【発明を実施するための最良の形態】
【００１４】
以下、本発明の実施形態を図１と図２を用いて説明する。掃除機本体１０１の上方にはダストカップ１０２、下方には吸口１０３を備え、ダストカップ１０２は伸縮ホース１０４と接続されている。
【００１５】
ダストカップ１０２は塵埃の溜まり具合が分かるように透明材料にて形成されており、塵埃が溜まった時・吸込みが弱くなった時にはプッシュクランプ１０５を押しながら取り外し洗浄することができる。また掃除機本体には、塵埃が溜まった場合に動作し、電動送風機１０６の発熱を防止するためにバイパスバルブ(図示せず)を設けている。
【００１６】
掃除機本体には掃除の際に使用するハンドル１０７が接続されており、ハンドルストッパー１０８のロックを解除することで、図１の如く折りたためる様に回動部を設けてあり、収納スペースを小さくすることができる。またハンドル１０７の上部には掃除機の運転および停止を制御するスイッチ１０９を設けている。
【００１７】
また、掃除機本体の持ち運びに使用する本体ハンドル１１０は掃除機本体１０１と別体で設けており、掃除機本体１０１に収納できるように設けている。
【００１８】
図３は掃除機運転時の吸気と排気の流れを示している。電動送風機１０６からの吸気流は、吸口１０３から塵埃と共に吸込まれ、継ぎ手Ｌ１１１，継ぎ手Ｕ１１２を通り伸縮ホース１０４を介してダストカップ１０２に入る。遠心分離室１１３にて塵埃と空気に回転分離され塵埃通過口３０１を通り塵埃集塵室１１４に堆積される。一方、電動送風機１０６からの排気流は、吸口排気口１１５と本体排気口１１６に分岐される。本体排気口１１６に向う排気流の一部はコードリール室１１７に入り電源コード１１８を冷却する。また、吸口排気口１１５に向う排気流は継ぎ手Ｕ１１２、継ぎ手Ｌ１１１を通り、吸口排気口１１５から吸口内部に排出される。
【００１９】
図４は吸口中央断面図であり、前記継ぎ手Ｌ１１１は下ケース４０１、上ケース４０２にて挟まれて、回動可能となっている。下ケース４０１と上ケース４０２の間にはインナーケース４０３が設置されており、排気流路４０４を形成すると共に放電ブラシ４０５を挟み込んで固定している。４０６は塵埃の掻き揚げおよび掃除面の乾拭き等を行う回転ブラシであり、アルミニウム等の金属で形成した溝にやわらかい刷毛と硬い刷毛を交互に配置している。また、前記回転ブラシには回転接触により静電気を発生させるための静電ブラシ４０７が左右両端に設けられており、吸口接触面４０８に回転接触させることで、静電気を発生させる構造となっている。また静電ブラシ４０７は、静電気発生と同時に吸口接触面４０８と反対側に設置されている放電ブラシ４０５を叩くことで、マイナスイオンが気中放電される。吸口の左右両端に前記放電ブラシ４０５を設けることで、吸口１０３の開口部全体にマイナスイオンを散らすことができる。
また、吸口排気口１１５を放電ブラシ４０５近傍に構成することで、排気流を生かし被掃除面にまでマイナスイオンが届く構造となっている。
【００２０】
図５はダストカップ１０２を掃除機本体１０１から取り外した状態を表している。ダストカップ１０２は大きく分けて上段部分の遠心分離室１１３と下段部分の塵埃集塵室１１４から構成しており遠心分離室１１３には掃除機本体１０１と着脱自在にプッシュクランプ１０５を設けている。また、遠心分離室１１３へ塵埃を含んだ空気が流入する塵埃吸入口８０２は遠心分離室１１３の下部に設けており、図３で説明したように塵埃通過口３０１が遠心分離室１１３の上端部に設けてあるので、旋回流は遠心分離室１１３内部で竜巻の如く下から上へ巻き上がり、塵埃集塵室１１４に堆積する。
【００２１】
図６、図７はダストカップの前方斜視部分断面図及び、ダストカップの後方斜視部分断面図である。塵埃吸入口８０２から、螺旋部８０１を通り塵埃通過口３０１に達するまでの塵埃の流れを示している。遠心分離室１１３内に配置する螺旋形状の頂上８０４は、前記、塵埃通過口の下端部８０５よりも上部に位置するように設け、螺旋に沿って搬送されてきた塵埃が塵埃通過口の下端部８０５に激突すること無く、確実に塵埃通過口３０１に搬送し易い構造としている。また、塵埃吸入口８０２を遠心分離室１１３の後方に配置し、塵埃通過口３０１を遠心分離室の側面に配置し、上記螺旋形状は塵埃吸入口８０２と塵埃通過口３０１の間に、螺旋１巻以内の形状で構成し塵埃は遠心分離室を１周しないで堆積する構造としている。この構造により塵埃を遠心分離室１１３で必要以上に回転させること無くスムーズに搬送することができる。塵埃吸入口８０２から、遠心分離室１１３内に搬送された塵埃は、遠心分離室１１３及び螺旋部８０１の壁面に沿いながら勢いよく回転・上昇し塵埃集塵室で補塵される。この際、塵埃吸入口８０２からの塵埃が吸込風量確保通路８０３に直接吸込まれ通路を塞ぎ込まないように吸込風量確保通路８０３を、吸引した塵埃が遠心分離室１１３に入ってくる塵埃吸入口８０２から見えない位置に設けている。
【００２２】
このように掃除機本体１０１、ダストカップ１０２、吸口１０３を構成すると、遠心分離機構を有する集塵室の構成が簡単にでき、効果的に塵埃の遠心分離が可能で使い勝手に優れた電気掃除機を提供することができる。また、前述したように遠心分離室１１３内に配置する螺旋形状の頂上８０４を塵埃通過口の下端部８０５よりも上部に位置し、塵埃吸入口８０２と塵埃通過口３０１の間に、螺旋形状を１巻以内に構成し、塵埃は遠心分離室を１周しないで堆積する構造とすることで塵埃の搬送性の向上、また透明部品の視界性を維持することができる。また、吸込風量確保通路８０３の開口部位置を吸引した塵埃が遠心分離室１１３に入ってくる塵埃吸入口８０２から見えない位置に設けたことで吸込風量確保通路８０３を塞ぐことなく吸込力を持続させ使い勝手の良い縦形電気掃除機を提供することができる。
【図面の簡単な説明】
【００２３】
【図１】本発明の実施形態にかかる電気掃除機の断面図（１）である。
【図２】本発明の実施形態にかかる電気掃除機の外観側面図である。
【図３】本発明の実施形態にかかる電気掃除機の断面図（２）である。
【図４】本発明の実施形態にかかる吸口の断面図である。
【図５】本発明の実施形態にかかるダストカップの外観図である。
【図６】本発明の実施形態にかかるダストカップの前方斜視部分断面図である。
【図７】本発明の実施形態にかかるダストカップの後方斜視部分断面図である。
【図８】従来電気掃除機のダストカップの前方斜視部分断面図である。
【符号の説明】
【００２４】
１０１…掃除機本体、１１３…遠心分離室、１１４…塵埃集塵室、３０１…塵埃通過口、８０１…螺旋部、８０２…塵埃吸入口、８０３…吸込風量確保通路、８０４…螺旋形状の頂上、８０５…塵埃通過口の下端部。
【図１】
2005160884.tif 000003
【図２】
2005160884.tif 000004
【図３】
2005160884.tif 000005
【図４】
2005160884.tif 000006
【図５】
2005160884.tif 000007
【図６】
2005160884.tif 000008
【図７】
2005160884.tif 000009
【図８】
2005160884.tif 000010